(57)【要約】【課題】ポータブルガン型静電除去器を提供する。【解決手段】気圧供給装置４を含み、該気圧供給装置４には手動バルブ４１を設置し、該手動バルブ４１には作用点４０を設け、該高電圧制御装置５の電源スイッチ５０の作用点５１と共に該ガン型本体３内の陥没した収容空間６２片側に設置し、該手動バルブ４１一端を連接管４２を接続し、該連接管４２には速度調節バルブ４３を接続し、該速度調節バルブ４３には調節ボルト４３０を設置し、該調節ボルト４３０により空気流量を制限し、操作者は送出空気流量の比率を随時調整可能とする。【選択図】  図４
0003123743.tif 000002
【実用新案登録請求の範囲】
【請求項１】
ガン型本体、アーク放電ユニット、気圧供給装置、高電圧制御装置を含み、
該ガン型本体は上蓋、下蓋、スイッチハンドルにより組成し、該上蓋、該下蓋はそれぞれ内部が陥没した収容空間を設置し、該上、該下蓋が形成する収容空間には該気圧供給装置、該高電圧制御装置、該アーク放電ユニットを収容し、該スイッチハンドルは回転軸と該上蓋、該下蓋が挿入設置し結合し、該スイッチハンドルは１個以上の圧ブロックを設置し、
該アーク放電ユニットはレシーブ電極を設置し該気圧供給装置の出気管一端に嵌設し、
該気圧供給装置の速度調節バルブは調節ボルトを設置し、該手動バルブは作用点を設置し、該作用点と該高電圧制御装置の電源スイッチ作用点は共に該ガン型本体内の陥没した収容空間片側に設置し、
該高電圧制御装置内には制御回路板と電源スイッチを接続し、該電源スイッチは作用点を設置することを特徴とするポータブルガン型静電除去器。
【請求項２】
前記手動バルブの一端には連接管を接続し、該連接管には速度調節バルブを接続することを特徴とする請求項１記載のポータブルガン型静電除去器。
【請求項３】
前記出気管には貫通孔を設置することを特徴とする請求項１記載のポータブルガン型静電除去器。
【考案の詳細な説明】
【技術分野】
【０００１】
本考案は一種のポータブルガン型静電除去器に関する。特に一種の速度調節バルブにより空気の流量を制限し、これにより予め制限流量を調整し、操作者は空気圧を制限する流量比率を隨時調整可能で、こうして空気圧が過大であるため作業物が吹飛ばされ或いはゆがんでしまうという欠点を防止し、イオンを含んだ空気を作業物に送り、同時に高圧供給を起動可能で、高圧の接続ケーブルに高圧電力が充満する欠点を払拭することができるポータブルガン型静電除去器に係る。
【背景技術】
【０００２】
図１に示すように、公知のポータブル静電除去ジェットガンはガン型本体３内に手動バルブ３１を設置する。該手動バルブ３１は空気圧伝送管１１と空圧機１を接続し、高圧電源供給器２は高電圧伝送ケーブル２１により外在の高圧電力を該ガン型本体３に送出する。  
しかし、上記公知構造は空気圧の制御が容易でないという欠点がある。すなわち、その空気流量は該スイッチハンドル３２により該手動バルブ３１を押すことでコントロールされるが、操作者が該スイッチハンドル３２への力を大きくすると、該手動バルブ３１の開放角度は大きくなり、噴出する空気量も多くなる。一方、操作者の手が加える力が小さいなら、該手動バルブ３１の開放角度も小さくなり、噴出する空気量も少なくなる。つまりこれでは空気圧の噴出量を定量に制御することはできない。
静電除去ジェットガンの主要機能は空圧機１を利用し発生させた空気圧と該ガン型本体内の放電針アークが放電発生するイオンを一緒に作業物に噴射し、静電気と粘着している灰塵を除去することである。しかし、通常該空圧機１が生じる空気圧は非常に大きい（約７〜１０ｋｇｆ／ｃｍ２）ため、操作者は該手動バルブ３１の開放角度を制御し、適当な空気圧にコントロールし噴出しなければならない。もし開放角度が過大で送出される空気圧が過大であるなら、該作業物は吹飛ばされ或いはゆがむという状況が発生する。しかし開放角度が過小であるなら、送出される空気圧は過小となり、該作業物が十分きれいにならないという状況が発生する。これらはみな該空圧機１が生じる空気圧が非常に大きく、操作者が出力を制御できず、空気圧を予め定量に制限し送出できないないために起こる欠点である。
また、該公知構造はアーク放電のオンとオフ制御に問題が生じ易い。すなわち該高圧電源供給器２と該ガン型本体３は分離式で、該高電圧伝送ケーブル２１により該高圧電源供給器２の高圧電力を該ガン型本体３内に送電するが、高圧電（約５〜７ＫＶ）を帯びる該高電圧伝送ケーブル２１は外部に露出するため、該高電圧伝送ケーブル２１が損壊し表面が破損すると、人員或いは設備が高圧電に接触し、さらには引火する危険さえある。
さらには、該高圧電源供給器２は外部の離れた場所に分離設置するため、該高圧電源供給器２のオンとオフは操作者が該高圧電源供給器２まで移動し操作を行う必要があり、非常に不便で、しかも万が一高圧電源のオフを忘れたなら危険な状況が発生する恐れがある。
【特許文献１】実用新案登録第３０１３７６２号
【考案の開示】
【考案が解決しようとする課題】
【０００３】
公知構造には以下の欠点があった。
すなわち、手動バルブが送出する空気圧の制御が容易でなく、作業物が吹飛ばされ、或いはゆがむ、或いは作業物を十分にきれいにできないという状況が発生し、またケーブルが外部に露出するためケーブルの破損が起き易く、人員或いは設備が接触する危険が高い。さらに、高圧電源は外部の離れた場所に分離設置されるため、電源のオフを忘れてしまったなら危険な状況が起こる可能性があり、しかも電源の制御が不便である。
【課題を解決するための手段】
【０００４】
上記課題を解決するために、本考案は、下記の特徴を有するポータブルガン型静電除去器を提供する。
１．請求項１に記載のポータブルガン型静電除去器は、ガン型本体、アーク放電ユニット、気圧供給装置、高電圧制御装置を含み、該ガン型本体は上蓋、下蓋、スイッチハンドルにより組成し、該上蓋、該下蓋はそれぞれ内部が陥没した収容空間を設置し、該上、該下蓋が形成する収容空間には該気圧供給装置、該高電圧制御装置、該アーク放電ユニットを収容し、該スイッチハンドルは回転軸と該上蓋、該下蓋が挿入設置し結合し、該スイッチハンドルは１個以上の圧ブロックを設置し、該アーク放電ユニットはレシーブ電極を設置し該気圧供給装置の出気管一端に嵌設し、該気圧供給装置の速度調節バルブは調節ボルトを設置し、該手動バルブは作用点を設置し、該作用点と該高電圧制御装置の電源スイッチ作用点は共に該ガン型本体内の陥没した収容空間片側に設置し、該高電圧制御装置内には制御回路板と電源スイッチを接続し、該電源スイッチは作用点を設置することを特徴とする。
２．請求項２に記載のポータブルガン型静電除去器は、請求項１の場合において、前記手動バルブの一端には連接管を接続し、該連接管には速度調節バルブを接続することを特徴とする。
３．請求項３に記載のポータブルガン型静電除去器は、請求項１の場合において、前記出気管には貫通孔を設置することを特徴とする。
【考案の効果】
【０００５】
上記のように、本考案は空気圧を予め調整し、定量送出が可能であるため、作業物が吹飛ばされ、或いはゆがんでしまい、或いは十分にきれいにできないという欠点を改善し、さらに高圧線の露出を防止し、また操作を簡便にすることができる。
【考案を実施するための最良の形態】
【０００６】
図２に示すように、本考案のポータブルガン型静電除去器は気圧供給装置４、高電圧制御装置５、アーク放電ユニット７を含む。該気圧供給装置４はガン型本体６内の陥没した収容空間６２内に設置し、該気圧供給装置４は手動バルブ４１を設置する。該手動バルブ４１一端は空気伝送管１１と空圧機１（図示なし）を接続し、該手動バルブ４１の反対端４１１は連接管４２を接続する。該連接管４２は速度調節バルブ４３を接続し、該手動バルブ４１は作用点４０を設置する。該作用点４０と該高電圧制御装置５の電源スイッチ５０の作用点５１は共に該ガン型本体６内の陥没した収容空間６２片側に設置する。次に、図２、３、４に示すように、該速度調節バルブ４３は調節ボルト４３０を設置し、該調節ボルト４３０により操作者は流量の比率を随時調整可能で、該速度調節バルブ４３反対端４３２は出気管４３３を接続する。該出気管４３３は貫通孔４３４を設置し、これにより該高圧導電電極７０は該貫通孔４３４を貫通し、放電針７１と接触する。該速度調節バルブ４３の調節ボルト４３０により調整し空気流量を制限するため、本考案では操作前において予め流量の制限比率を調整可能で、空気圧は予め調整された定量に基づき送出され、操作者の操作時の施力の不適当により空気圧が過大で作業物が吹飛ばされ或いはゆがんでしまうという状況の発生を防止することができる。
【０００７】
さらに、該高電圧制御装置５は制御回路板５２、昇圧変圧器５３、電源スイッチ５０を含む。該制御回路板５２と該電源スイッチ５０は接続し、該電源スイッチ５０は作用点５１を設置する。該電源スイッチ５０の作用点５１と該気圧供給装置４の手動バルブ４１の作用点４０は共に該ガン型本体６内の陥没した収容空間６２片側に設置される。図４に示すように、該制御回路板５２上は導線により該昇圧変圧器５３まで電圧が送電され、該昇圧変圧器５３は該高電圧ケーブル５４により高圧導電電極７０まで高電圧が送出され、放電針７１まで導入され、これによりアーク放電を生じイオンを発生する。また該制御回路板５２上にはレシーブ電極７２を設置し、該レシーブ電極７２はイオン発生を受けて信号を該制御回路板５２に送し、該昇圧変圧器５３の駆動出力を修正する。該制御回路板５２、該昇圧変圧器５３、該高電圧ケーブル５４はすべて該ガン型本体６の収容空間６２内に設置するため、図４に示すように、本考案は公知の高電圧ケーブルのように外部に露出するため損壊し易いということはなく、漏電等の恐れを払拭することができる。
【０００８】
該アーク放電ユニット７は、該高圧導電電極７０、該放電針７１、該レシーブ電極７２により構成する。該高圧導電電極７０は、気圧供給装置４の出気管４３３の貫通孔４３４に挿入設置し、該放電針７１は該出気管４３３内に設置され、該高圧導電電極７０と接触する。該レシーブ電極７２は該出気管４３３一端に嵌設する。該アーク放電ユニット７は本案の技術特徴ではないため、ここでは詳述しない。
【０００９】
該ガン型本体６は上蓋６Ａ、下蓋６Ｂ、スイッチハンドル６０により組成する。該上蓋、該下蓋はそれぞれ内部が陥没した収容空間６２を設置し、該上、下蓋が形成する収容空間６２は該気圧供給装置４、該高電圧制御装置５、該アーク放電ユニット７を設置する。また該上蓋と該下蓋は固定部品により相互に固設しガン型本体６を形成し、該スイッチハンドル６０は１個以上の圧ブロック６３を設置し、該１個以上の圧ブロック６３と該手動バルブ４１の作用点４０、該電源スイッチ５０の作用点５１位置は相互に対応する。該スイッチハンドル６０と該上蓋６Ａ、該下蓋６Ｂは回転軸６１により挿入設置し結合後、操作者が該スイッチハンドル６０を押すと、図４、５に示すように、該スイッチハンドル６０は該回転軸６１を支点としてスイングする。この時該スイッチハンドル６０に設置する１個以上の圧ブロック６３は該手動バルブ４１の作用点４０及び該電源スイッチ５０の作用点５１を押し、空気圧と電源を同時にオンとし、反対に空気圧と電源を同時にオフとする。  
【図面の簡単な説明】
【００１０】
【図１】公知構造の平面指示図である。
【図２】本考案構造の分解指示図である。
【図３】本考案の調節バルブと出気管の側面分解指示図である。
【図４】本考案の作動前指示図である。
【図５】本考案の作動後指示図である。
【符号の説明】
【００１１】
１  空圧機
１１  空気圧伝送管
２  高圧電源供給器
２１  高電圧伝送ケーブル
３  ガン型本体
３１  手動バルブ
３２  スイッチハンドル
４  気圧供給装置
４０  作用点
４１  手動バルブ
４１１  一端
４２  連接管
４３  速度調節バルブ
４３０  調節ボルト
４３２  一端
４３３  出気管
４３４  貫通孔
５  高電圧制御装置
５０  電源スイッチ
５１  作用点
５２  制御回路板
５３  昇圧変圧器
５４  高電圧ケーブル
６  ガン型本体
６Ａ  上蓋
６Ｂ  下蓋
６０  スイッチハンドル
６１  回転軸  
６２  収容空間
６３  圧ブロック
７  アーク放電ユニット  
７０  高圧導電電極
７１  放電針
７２  レシーブ電極
【図２】
0003123743.tif 000003
【図３】
0003123743.tif 000004
【図１】
0003123743.tif 000005
【図４】
0003123743.tif 000006
【図５】
0003123743.tif 000007